(57)【要約】      （修正有）【課題】肌に優しく簡便に使用できる微弱電流具を提供する。【解決手段】第１電極部１０と、第１電極部と異なる電位を有し、第１電極部と電気的に接続された第２電極部１１と、身体に嵌めて取り付けるための嵌め部と、を有することを特徴とする微弱電流具１。【選択図】図１
2020199213.tif 000002
【特許請求の範囲】
【請求項１】
第１電極部と、
前記第１電極部と異なる電位を有し、前記第１電極部と電気的に接続された第２電極部と、
身体に嵌めて取り付けるための嵌め部と、を有する
ことを特徴とする微弱電流具。
【請求項２】
請求項１に記載の微弱電流具であって、
前記第１電極部と前記第２電極部を電気的に接続する導電部、を備える
ことを特徴とする微弱電流具。
【請求項３】
請求項１または２に記載の微弱電流具であって、
前記第１電極部と前記第２電極部の間に配置される絶縁部、を備える
ことを特徴とする微弱電流具。
【請求項４】
請求項１〜３のいずれか一項に記載の微弱電流具であって、
前記第１電極部と前記第２電極部は、互いに異なる金属である
ことを特徴とする微弱電流具。
【請求項５】
請求項１〜３のいずれか一項に記載の微弱電流具であって、
前記第１電極部と前記第２電極部は、繊維に金属が組み込まれ形成されている
ことを特徴とする微弱電流具。
【請求項６】
請求項２に記載の微弱電流具であって、
前記導電部は、湾曲形状または環形状をしており、
前記第１電極部と前記第２電極部は、前記導電部の内周に沿って配置される
ことを特徴とする微弱電流具。
【請求項７】
請求項３に記載の微弱電流具であって、
前記微弱電流具は、棒状であって、身体に巻きつける
ことを特徴とする微弱電流具。
【請求項８】
請求項７に記載の微弱電流具であって、
前記棒状の微弱電流具は、捻ってから身体に巻きつける
ことを特徴とする微弱電流具。
【請求項９】
請求項１〜５のいずれか一項に記載の微弱電流具であって、
前記第１電極部と前記第２電極部は、それぞれ身体の異なる部分に嵌めて取り付ける
ことを特徴とする微弱電流具。
【請求項１０】
請求項１〜９のいずれか一項に記載の微弱電流具であって、
前記第１電極部及び／又は前記第２電極部は、複数設けられている
ことを特徴とする微弱電流具。
【請求項１１】
請求項１〜１０のいずれか一項に記載の微弱電流具であって、
前記微弱電流具は、指、腕、または脚に取り付ける
ことを特徴とする微弱電流具。
【請求項１２】
請求項３に記載の微弱電流具であって、
前記絶縁部は、溝、切欠き、または絶縁材である
ことを特徴とする微弱電流具。
【請求項１３】
請求項１〜１２のいずれか一項に記載の微弱電流具であって、
電源を備える
ことを特徴とする微弱電流具。
【発明の詳細な説明】
【技術分野】
【０００１】
本発明は、生体内に微弱電流を流す微弱電流具に関する。
【背景技術】
【０００２】
人間の皮膚に微弱な電流を流し、健康を促進する療法が広く行われている。人体に適切な微弱電流を与えることにより、人間の自然治癒力が高まると言われている。そのことに着目した治療法として、マイクロカレントセラピーが挙げられる。マイクロカレントセラピーは、外部から人工的に微弱電流を流すことにより、ミトコンドリアによる傷の修復に必要なＡＴＰ（アデノシン三燐酸）酵素の生成の促進や、たんぱく質の合成を促進するものである。マイクロカレントセラピーは特に外傷の治療に効果があると言われている。また、外傷の治療を目的としたものではないが、人間の皮膚に微弱電流を流すことにより、人体内に本来的に流れているバイオ電流の乱れを整え、人間の細胞組織のイオン配列を整え、これによって病気の予防や治癒に役立てることも広く行われている。このような微弱電流治療器として、種々の微弱電流発生装置が開発され製品化されている。
【０００３】
特許文献１には、弾力性と導電性を有する基板に圧電体を平板状に設け、その基板と圧電体を粘着シートやサポーターで人体表面に固定し、圧電体に圧力をかけて微弱電流を皮膚内に通電する微弱電流施療具が記載されている。
【先行技術文献】
【特許文献】
【０００４】
【特許文献１】特開２００６-３２０７０４号
【発明の概要】
【発明が解決しようとする課題】
【０００５】
特許文献１の技術は、電位差がある電極を用いるのではなく、圧電体を用いている。圧電体は、圧力がかかることにより起電力を生じるため、特許文献１の微弱電流施療具は、圧力をかける必要がある。微弱電流は長時間定常的に流れることにより、人体内の生体電流を整える効果を生じるため、圧力をかけたときだけ電流が流れる構造では十分な治療効果が得られないことがあった。
【０００６】
本発明は、上記課題の少なくとも１つを解決するものであり、肌に優しく簡便に使用できる微弱電流具を提供することを目的とする。
【課題を解決するための手段】
【０００７】
本発明は、上記課題の少なくとも一つを解決するものであるが、その例を挙げるならば、次の通りである。すなわち、本発明の一態様に係る微弱電流具は、第１電極部と、前記第１電極部と異なる電位を有し、前記第１電極部と電気的に接続された第２電極部と、身体に嵌めて取り付けるための嵌め部と、を有することを特徴とする。
【０００８】
前記第１電極部と前記第２電極部を電気的に接続する導電部、を備えていてもよい。
【０００９】
前記第１電極部と前記第２電極部の間に配置される絶縁部、を備えていてもよい。
【００１０】
前記第１電極部と前記第２電極部は、互いに異なる金属であってもよい。
【００１１】
前記第１電極部と前記第２電極部は、繊維に金属が組み込まれ形成されていてもよい。
【００１２】
前記導電部は、湾曲形状または環形状をしており、前記第１電極部と前記第２電極部は、前記導電部の内周に沿って配置されてもよい。
【００１３】
前記微弱電流具は、棒状であって、身体に巻きつけるものであってもよい。
【００１４】
前記棒状の微弱電流具は、捻ってから身体に巻きつけてもよい。
【００１５】
前記第１電極部と前記第２電極部は、それぞれ身体の異なる部分に嵌めて取り付けるものであってもよい。
【００１６】
前記第１電極部及び／又は前記第２電極部は、複数設けられていてもよい。
【００１７】
前記微弱電流具は、指、腕、または脚に取り付けるものであってもよい。
【００１８】
前記絶縁部は、溝、切欠き、または絶縁材であってもよい。
【００１９】
電源を備えていてもよい。
【発明の効果】
【００２０】
本発明によれば、肌に優しく簡便に使用できる微弱電流具を提供することができる。
【００２１】
上記した以外の課題、構成および効果は、以下の実施形態の説明により明らかにされる。
【図面の簡単な説明】
【００２２】
【図１】本発明の第１実施形態に係る微弱電流具を示す図である。
【図２】本発明の第１実施形態の変形例に係る微弱電流具を示す図である。
【図３】本発明の第１実施形態の他の変形例に係る微弱電流具を示す図である。
【図４】本発明の第２実施形態に係る微弱電流具を示す図である。
【図５】本発明の第２実施形態の変形例に係る微弱電流具を示す図である。
【図６】本発明の第３実施形態に係る微弱電流具を示す図である。
【図７】本発明の第４実施形態に係る微弱電流具を示す図である。
【図８】本発明の第４実施形態に係る微弱電流具の使用の一例を示す図である。
【図９】本発明の第５実施形態に係る微弱電流具の使用の一例を示す図である。
【図１０】本発明の第５実施形態の変形例に係る微弱電流具を示す図である。
【図１１】本発明の第５実施形態の他の変形例に係る微弱電流具を示す図である。
【図１２】本発明の第５実施形態の他の変形例に係る微弱電流具を示す図である。
【図１３】本発明の第５実施形態の他の変形例に係る微弱電流具を示す図である。
【図１４】本発明の第５実施形態の他の変形例に係る微弱電流具を示す図である。
【図１５】本発明の第５実施形態の他の変形例に係る微弱電流具を示す図である。
【図１６】本発明の第５実施形態の他の変形例に係る微弱電流具を示す図である。
【発明を実施するための形態】
【００２３】
以下、図面を参照して本発明の微弱電流具の実施形態の例を説明する。以下の説明では同様な構成については同様な符号を付してその説明を省略することがある。また、構成要素等の形状、位置関係等に言及する場合は、特に明示した場合および原理的に明らかにそうでないと考えられる場合等を除き、実質的にその形状等に近似または類似するもの等を含むものとする。なお、実施形態の説明においては、第１電極部を正電極、第２電極部を負電極とする。
【００２４】
＜第１実施形態＞
図１は、本発明の第１実施形態に係る微弱電流具１を示す概略図である。
【００２５】
微弱電流具１は、第１電極部１０と、第２電極部１１と、導電部１２と、溝１３と、を有している。導電部１２は、輪状（リング状）であり、内周に沿って第１電極部１０と第２電極部１１が接合されている。第１電極部１０と第２電極部１１の間に溝１３が設けられる。微弱電流具１は、全体として輪状であり、肌に触れる第１電極部１０及び第２電極部１１の内側部分が、身体に嵌め込むための嵌め部を形成している。微弱電流具１は、指、腕、脚など身体に嵌めて取り付けて使用することができる指輪、腕輪、脚輪として機能するため、落下や脱着を防止できる。
【００２６】
第１電極部１０と第２電極部１１は、電位差を有する金属からなり、形態としては薄膜でも薄い金属片でもよい。第１電極部１０と第２電極部１１は、導電部１２に電気的に接合し、互いに離間して配置される。第１電極部１０と第２電極部１１は、導電部１２に、鍍金、貼り付け、クラッド（象嵌）などにより形成される。また、電位差のある異種金属を含む材料や無垢材を使用して形成し、導電部１２に接続してもよい。
【００２７】
第１電極部１０は、略半円環形（円弧状）をしている。第１電極部１０は、導電部１２の内周に沿う円周と同じ大きさをしている。第１電極部１０は、金属であり、例えば、金、白金、または銅などが用いられる。
【００２８】
第２電極部１１は、略半円環形（円弧状）をしている。第２電極部１１は、導電部１２の内周に沿う円周と同じ大きさをしている。第２電極部１１は、第１電極部１０と異なる電位を有する金属であり、例えば亜鉛、チタン、アルミニウム、ステンレス、又は銅などが用いられる。
【００２９】
また、第１電極部１０、第２電極部１１は、上記素材で細線化や箔帯状に加工したものや、金属細線、箔帯状に上記素材でメッキを施した電極線材としても良く、電極線材を網状やループ状に編み込む、繊維に絡める、繊維に巻きつけるなどにより、肌面に電極線材が接触する電極繊維群を形成し、各電極部としても良い。この時、電極線材は例えば、１０ミクロンから２００ミクロン、好ましくは２０ミクロンから８０ミクロンの線径とする。また、箔帯状においては、例えば、０．５ミクロンから３０ミクロン、好ましくは１．０ミクロンから２０ミクロンの厚さとする。
【００３０】
導電部１２は、導電性を有する導電物質を含む材料で形成され、例えば、導電性を有する金属、または炭素を主として含む材料、導電性を有する樹脂ゴムなどが用いられる。導電部１２は、第１電極部１０と第２電極部１１と共に指、腕、脚など使用者の身体に嵌められて取り付けられる嵌め部の役割をする。そのため、導電部１２は、伸縮性を有していてもよく、例えば伸縮性のゴム材やスポンジ材としてもよい。さらには導電部１２を伸縮可能に複数屈曲したバネ材と伸縮性のゴム材やスポンジ材、または伸縮性の繊維と組み合わせても良い。本来、微弱電流具１は本体の重さや皮膚の弾力で皮膚面に電極部が接触して効果を発揮するものであるが、導電部１２が伸縮性を示すことでより皮膚への無理のない押圧が可能となる。
【００３１】
なお、電極部として作用させるための物質、および、導電部として作用させるための物質は、金属に限られない。電位差（イオン化傾向）の違いを利用して、生体内に微弱電流を発生させることができる組合せであればよく、異種金属の組合せに限らず、導電性高分子、導電性酸化物などを組み合わせてもよい。また、半導体と呼ばれるものであってもよい。導電部１２の内周に接続しやすく、肌に障害のないものを選択すればよい。
【００３２】
溝１３は、第１電極部１０と第２電極部１１の間に設けられる。溝１３は、第１電極部１０、第２電極部１１および導電部１２に囲まれた略コ字状をしている。溝１３は、絶縁部の役割をし、第１電極部１０と第２電極部１１が絶縁されるのに十分な幅を有している。溝１３の幅Ｗ、すなわち離間して設けられた第１電極部１０と第２電極部１１の間の距離は、例えば１ｍｍ〜１０ｍｍである。溝１３の深さＡ（凹部の深さ）は、例えば１ｍｍ〜１０ｍｍである。溝１３の幅が広く形成されるのに応じて溝１３の深さは深く形成される。溝１３の幅が広くなると肌が導電部１２に接しやすくなり、これを回避するためである。溝１３を第１電極部１０と第２電極部１１の間に設けることにより、第１電極部１０と第２電極部１１が導電部１２に短絡して電流が流れるのを防止することができる。
【００３３】
なお、第１電極部１０と第２電極部１１を隣接させて形成し、その後、第１電極部１０と第２電極部１１の境目を切り欠いた切欠き部を溝１３の代わりに形成してもよい。この場合も、切欠き部の幅に応じて切欠き部の深さを深くして、導電部１２に肌が接しないようにする。
【００３４】
微弱電流具１が指に使用するものである場合、導電部１２の直径Ｄは、例えば１０ｍｍ〜２８ｍｍ、好ましくは、１２ｍｍ〜２５ｍｍである。腕に使用するものである場合、導電部１２の直径Ｄは、例えば３５ｍｍ〜８０ｍｍ、好ましくは４０ｍｍ〜７０ｍｍである。脚に使用するものである場合、導電部１２の直径Ｄは、例えば６０ｍｍ〜１２０ｍｍ、好ましくは６５ｍｍ〜１１０ｍｍである。
【００３５】
微弱電流具１の電極部１０，１１の長さＬ（すなわち、微弱電流具１を円筒として見た場合の円筒の円周方向の長さ）は、例えば２ｍｍ〜４０ｍｍ、好ましくは、３ｍｍ〜３０ｍｍである。また、微弱電流具１の厚さＴ（すなわち、微弱電流具１を円筒として見た場合の円の直径方向の厚さ）は、例えば１ｍｍ〜３０ｍｍ、好ましくは１．５ｍｍ〜２５ｍｍである。
【００３６】
微弱電流具１は、生体内に微弱電流を流すもので、肌に接触させて使用する。微弱電流具１の電極部は、互いに電位差を有し、電気的に接続される第１電極部１０および第２電極部１１の２種類の電極部を含み、これらの電極部と肌とで電気的閉回路を形成して肌に微弱電流を流す。第１電極部１０と第２電極部１１の間は溝１３により絶縁し、第１電極部１０と第２電極部１１とそれぞれの近傍の導電部１２との間で短絡的に電流が流れないようにしている。
【００３７】
第１電極部１０と第２電極部１１は、電位差を有しているため、肌に当てると、電気回路を形成する。すなわち、負電極の第２電極部１１から正イオンが電離し、電子が正電極の第１電極部１０に移動し、第１電極部１０と第２電極部１１に電位差が生じる。この電位差によって、生体内に微弱な電流が流れる。この微弱電流は、小さな電流であるため、皮膚の表面の組織を損傷させずに皮膚の真皮層に入り、身体の細胞組織のイオン配列を整え、皮膚に対しては美容効果を有し、ツボに働けば人体の生体活動を活性化し、病気の治癒や予防に効果を有する。
【００３８】
微弱電流具１は、生体内電流を整える効果や繊維細胞に刺激を与え活性化を促す効果が期待できる。皮膚は身体の表面を覆っており、表皮と真皮の厚さは０．６ｍｍ〜３ｍｍであり、その下に皮下組織、脂肪組織、神経、血管、リンパ管、筋肉、骨や内臓などが存在するとされる。皮膚はバリア機能を有し、皮膚組織は横方向（表皮方向）に電気抵抗が高く、縦方向（皮膚と直角方向）に電気抵抗が低くなる傾向があることから、皮膚に接触させる微弱電流具１の電極部間の最短距離を皮膚の厚さ以上に設けることで、体内の神経や筋肉、血管などにも電流が届きやすくなる。また、近年指先などの末端神経の痛みや末端の毛細血管の流れが悪い症状が取り上げられているが、指や腕に刺激を与えることで、これらの末端神経の改善に効果が期待できる。
【００３９】
以上、本実施形態について説明した。本実施形態によれば、肌に優しく簡便に使用できる微弱電流具１を提供することができる。微弱電流具１は、電気的に接続された電位差のある電極部が肌に当たるため、皮膚（皮膚の下層）に微弱電流が発生する。微弱電流具１は、導電部１２の内周に第１電極部１０と第２電極部１１が接続されたリング状をしているため、指、腕、または脚など使用者の身体に取り付ける（嵌める）だけで簡単に使用することができる。また、使用者の身体に嵌っているため、微弱電流具１の落下を防止することができる。
【００４０】
なお、導電部１２は、第１電極部１０、または第２電極部１１のいずれかと同じ材料で形成してもよい。すなわち、いずれかの電極部の部材が、導電部を兼ねてもよい。具体的には、例えば、第１電極部１０を金、第２電極部１１と導電部１２を亜鉛で形成したものであってもよい。
【００４１】
＜第１実施形態の変形例１＞
図２は、第１実施形態の変形例１に係る微弱電流具１ａを示す図である。微弱電流具１ａは、第１電極部１０と第２電極部１１を複数備えている点が第１実施形態と異なる。
【００４２】
本変形例では、第１電極部１０と第２電極部１１を一対の電極部とすると、二組の電極部が設けられている。微弱電流具１ａは、略円環形をした導電部１２の内周に第１電極部１０と第２電極部１１が溝１３を挟んで交互に配置されている。
【００４３】
微弱電流具１ａの電極部１０，１１の長さＬ（すなわち、微弱電流具１ａを円筒としてみた場合の円筒の円周方向の長さ）は、ツボの周囲を考慮して、例えば、１ｍｍ〜４０ｍｍ、好ましくは、２ｍｍ〜３０ｍｍであり、さらに好ましくは、３ｍｍ〜２０ｍｍである。
【００４４】
本変形例の微弱電流具１ａは、第１電極部１０と第２電極部１１が交互に複数設けられているため、使用者が身体に取り付けたときにピッタリ嵌らなくても、いずれかの第１電極部１０と第２電極部１１に身体の一部が接触し、生体内に微弱電流を発生させることができ、使用が簡単となる。本変形例では、二組の電極部が設けられたが、電極部は一組でもよく、あるいは二組以上設けられていてもよい。また、本変形例では、第１電極部１０と第２電極部１１の合計数が４つのものを示しているが、電極部の合計数は４つ以上でも良い。
【００４５】
なお、導電部１２は、第１電極部１０、または第２電極部１１のいずれかと同じ材料で形成してもよい。すなわち、いずれかの電極部の部材が、導電部を兼ねてもよい。具体的には、例えば、第１電極部１０を金、第２電極部１１と導電部１２を亜鉛で形成したものであってもよい。
【００４６】
＜第１実施形態の変形例２＞
図３は、第１実施形態の変形例２に係る微弱電流具１ｂを示す図である。微弱電流具１ｂは、絶縁材１４を備えている点が変形例１と異なる。
【００４７】
本変形例では、第１電極部１０と第２電極部１１の間に溝１３の代わりに絶縁材１４が設けられている。絶縁材１４は、絶縁部の役割をし、絶縁性の材料から形成される。絶縁材１４は、材料は特に限定されないが、例えば、プラスチック、ゴム、布、スポンジ等である。
【００４８】
絶縁材１４の幅Ｗ１（すなわち離間して設けられた第１電極部１０と第２電極部１１の間の距離）は、例えば１ｍｍ〜１０ｍｍである。溝１３と異なり、導電部１２に肌が接することがないため、絶縁材１４の幅は溝１３の幅より狭くてもよい。
【００４９】
本変形例の微弱電流具１ｂは、第１電極部１０と第２電極部１１が絶縁材１４によって絶縁されており、溝１３の場合より確実に絶縁されたものとなる。
【００５０】
また、第１電極部１０と第２電極部１１を除き、導電部１２を覆う形状でも良い。図示しないが、例えば、導電部１２を内部に配し、プラスチック樹脂、ゴム、木、石などで外形を形成し外枠とし、外枠に第１電極部１０と第２電極部１１を電極部に接続すると共に、取り付けや、埋め込むなどで接合し設置してもよい。
【００５１】
なお、導電部１２は、第１電極部１０、または第２電極部１１のいずれかと同じ材料で形成してもよい。すなわち、いずれかの電極部の部材が、導電部を兼ねてもよい。具体的には、例えば、第１電極部１０を金、第２電極部１１と導電部１２を亜鉛で形成したものであってもよい。
【００５２】
＜第２実施形態＞
図４は、第２実施形態に係る微弱電流具２を示す図である。微弱電流具２は、内側に付勢されたヒンジ１５を備えている。微弱電流具２は、指、腕、脚等を挟んで嵌めて取り付けて使用するため、微弱電流具２の落下を防ぐことができる。
【００５３】
導電部１２は、一部が開口した略円環形をしている。導電部１２の開口部分の端である開口端１２１は、円の外側に向かって曲がった形状（湾曲形状）をしている。導電部１２は、全体の長さの約半分の位置にヒンジ１５を有している。ヒンジ１５は、どのような仕組みのものであってもよく、例えば、バネで閉まる方式やラッチで固定する方式など、導電部１２が身体を挟み込み嵌めて取り付けられる嵌め部の役割をすればどのような方式であってもよい。
【００５４】
微弱電流具２を指に使用する場合、導電部１２の直径Ｄは、例えば１０ｍｍ〜２８ｍｍ、好ましくは、１２ｍｍ〜２５ｍｍである。腕に使用する場合、導電部１２の直径Ｄは、例えば３５ｍｍ〜８０ｍｍ、好ましくは、４０ｍｍ〜７０ｍｍである。脚に使用する場合、導電部１２の直径Ｄは、例えば６０ｍｍ〜１２０ｍｍ、好ましくは６５ｍｍ〜１１０ｍｍである。
【００５５】
微弱電流具２の電極部１０，１１の長さＬ（すなわち、微弱電流具２を円筒として見た場合の円筒の円周方向の長さ）は、例えば２ｍｍ〜４０ｍｍ、好ましくは、３ｍｍ〜３０ｍｍである。また、微弱電流具２の厚さＴ（すなわち、微弱電流具２を円筒として見た場合の円の直径方向の厚さ）は、例えば１ｍｍ〜３０ｍｍ、好ましくは１．５ｍｍ〜２５ｍｍである。
【００５６】
第１電極部１０と第２電極部１１は、導電部１２の内周に沿って接着されている。第１電極部１０と第２電極部１１の間には溝１３が設けられる。溝１３は、導電部１２の内周側に設けられる。溝１３は、ヒンジ１５と導電部１２を挟んで対向する位置に設けられる。溝１３の幅Ｗ（すなわち離間して設けられた第１電極部１０と第２電極部１１の間の距離）は、例えば１ｍｍ〜１０ｍｍである。溝１３の深さＡは、例えば１ｍｍ〜１０ｍｍである。溝１３の幅が広く形成されるのに応じて溝１３の深さは深く形成される。
【００５７】
本実施形態によれば、肌に優しく簡便に使用できる微弱電流具２を提供することができる。使用者の身体を挟んで使用できるため、簡単に使用することができる。微弱電流具２は、指、腕、脚等を挟んで取り付けるため、各部位に応じたサイズを準備しなくても使用することができる。さらに、開口端１２１が、曲面を有しており身体を挟み込む際や、挟んでいる際の当たりが柔らかく使用しやすいものとなる。
【００５８】
ヒンジ１５の開閉容易のために、導電部１２の外周側につまみ等を設けてもよい。また、開口端１２１どうしが勘合してロックする形状をしていてもよい。また、例えば、リングを半分にした形状のものを対にし、お互いをはめ込むリング形状にしても良い。
【００５９】
なお、導電部１２は、第１電極部１０、または第２電極部１１のいずれかと同じ材料で形成してもよい。すなわち、いずれかの電極部の部材が、導電部を兼ねてもよい。具体的には、例えば、第１電極部１０を金、第２電極部１１と導電部１２を亜鉛で形成したものであってもよい。
【００６０】
＜第２実施形態の変形例＞
図５は、第２実施形態の変形例に係る微弱電流具２ａを示す図である。微弱電流具２ａは、溝１３を複数備えている点が第２実施形態と異なる。
【００６１】
本変形例では、第１電極部１０と第２電極部１１に複数の溝１３が設けられている。溝１３の幅Ｗは、例えば１ｍｍ〜１０ｍｍである。溝１３の深さＡは、例えば１ｍｍ〜１０ｍｍである。各電極部に複数の溝１３を設けることで、使用者の身体の一部を挟んだときに溝１３に皮膚が入り込み微弱電流具２ａが滑りにくくなる。
【００６２】
第１電極部１０と第２電極部１１が溝１３を介して交互に配置されていてもよい。各電極部が確実に身体の一部と接するため、簡単に使用でき、生体内に微弱電流を発生させることができる。この場合は、溝１３の幅が広く形成されるのに応じて溝１３の深さは深く形成されるようにする。
【００６３】
なお、溝１３は、絶縁材１４で形成されてもよいし、切欠き部であってもよい。また、電極部を複数設け、第１電極部１０と第２電極部１１を交互に設けても良い。さらには、導電部をプラスチック樹脂やゴム、木、石などで覆ったものでも良い。
【００６４】
なお、導電部１２は、第１電極部１０、または第２電極部１１のいずれかと同じ材料で形成してもよい。すなわち、いずれかの電極部の部材が、導電部を兼ねてもよい。具体的には、例えば、第１電極部１０を金、第２電極部１１と導電部１２を亜鉛で形成したものであってもよい。
【００６５】
＜第３実施形態＞
図６は、第３実施形態の微弱電流具３を示す図である。微弱電流具３は、第１電極部１０と、第２電極部１１と、導電部１２と、絶縁材１４と、を備える。微弱電流具３は、螺旋形状をしており、指、腕、脚等に嵌めて取り付け使用ができる。
【００６６】
微弱電流具３は、棒状の棒状体をしており、第１電極部１０と第２電極部１１の間に導電部１２（不図示）が設けられ、導電部１２の外周を絶縁材１４が被覆している。第１電極部１０と第２電極部１１は、金属を可撓性を有するプラスチック材やゴム材などの表面に鍍金、蒸着、スパッタリング等により形成、または、線材を巻きつけて形成、練り込んで形成する。第１電極部と第２電極部は、錫やアルミニウムなど可撓性を有する材料で形成してもよい。また、第１電極部１０と第２電極部１１の間に導電部１２を金属や炭素粉末などを蒸着、鍍金、スパッタリング等により形成する。導電部１２の外周をシート状またはテープ状の絶縁材１４で覆い絶縁部とする。
【００６７】
本実施形態では、第１電極部１０、第２電極部１１、絶縁材１４（導電部１２を含む）が、指、腕、脚など使用者の身体に嵌められて取り付けられる嵌め部の役割をする。微弱電流具３を指に使用するものである場合、その直径Ｄは、例えば１０ｍｍ〜２８ｍｍである。腕に使用する場合は、例えば３５ｍｍ〜８０ｍｍである。脚に使用するものである場合は、例えば６０ｍｍ〜１２０ｍｍである。また、棒状体の断面は、円、楕円、平面、多角形、例えば円を複数集積形状や、ハート模様などにしても良い。
【００６８】
微弱電流具３は、螺旋形状で、使用者の身体に嵌め込めばよいため、簡単に使用することができる。微弱電流具３は、可撓性を備えたものでもよい。例えば、棒状体を可撓性とし、引き延ばしても元に形状が復帰できる素材（例えば、エラストマーやゴム材、ナイロン材や繊維を織り込んだもの、繊維にゴム材を塗布したものなど）に、第１電極部１０、第２電極部１１を設け導電部１２で接続してもよい。また、導電部１２は棒状体に埋め込んでも良い。可撓性を備えている微弱電流具３は、使用者の身体に巻きつけて使用できるため、簡単に使用箇所のサイズに合わせることができる。また、使用者の身体にしっかりと接触するため、生体内に微弱電流を簡易に発生させることができる。
【００６９】
なお、本実施形態では、一対の電極部は一組であったが、複数組を用いて形成してもよい。
【００７０】
製法の一つとして、例えば、棒状体の長手方向に、第１電極部１０、第２電極部１１を設け、各電極を導電部１２で接続し、電極部を設け、微弱電流具３を形成し、その後棒状体を軸方向に捩じることで、棒状態の表面に電極部が交互に現れる。これをコイルばね状にし、微弱電流具３とすることで、微弱電流具３の内面（皮膚に触れる側）に電極部が交互に現れることで、効果の高い微弱電流具３が簡単に作成できる。また、この工法例として、硬化した金属で成型したり、温度をかけてやわらかい状態のプラスチック材などで形成後、常温で硬化させるなどの方法がある。
【００７１】
なお、導電部１２は、第１電極部１０、または第２電極部１１のいずれかと同じ材料で形成してもよい。すなわち、いずれかの電極部の部材が、導電部を兼ねてもよい。具体的には、例えば、第１電極部１０を金、第２電極部１１と導電部１２を亜鉛で形成したものであってもよい。
【００７２】
＜第４実施形態＞
図７および図８は、第４実施形態の微弱電流具４を示す図である。微弱電流具４は、第３実施形態と各部材の配置が異なる。図７（ａ）は、微弱電流具４の正面図、図７（ｂ）は、微弱電流具４の側面図である。
【００７３】
微弱電流具４は、細長い第１電極部１０と第２電極部１１の間に電極部より細い導電部１２（不図示）を挟み、導電部１２を絶縁材１４で覆った棒状をしている。図７（ｂ）に示すように、微弱電流具４は、略円形棒状をしている。微弱電流具４は、曲面を有している方が使用者の使用感が良くなるが、断面が四角形状等であってもよい。
【００７４】
微弱電流具４は、可撓性を有し、図８に示すように、棒状の微弱電流具４を捻ってから使用者の腕に巻きつけて使用する。本実施形態では、嵌め部（第１電極部１０、第２電極部１１、導電部１２、絶縁材１４）が可撓性を有しているため、身体に巻きつけると嵌めて取り付けた状態と同じように使用することができる。したがって、本実施形態に係る微弱電流具４は、使用箇所のサイズに合わせて巻きつけることができ、簡単に使用することができる。
【００７５】
なお、微弱電流具４は、捻らずに身体に巻きつけて使用してもよい。また、製造時に軸方向に捻って弾力性を持たせて形成しても、製造時に軸方向に捻ってコイル状にして弾力性を持たせて形成しても良い。
【００７６】
なお、導電部１２は、第１電極部１０、または第２電極部１１のいずれかと同じ材料で形成してもよい。すなわち、いずれかの電極部の部材が、導電部を兼ねてもよい。具体的には、例えば、第１電極部１０を金、第２電極部１１と導電部１２を亜鉛で形成したものであってもよい。
【００７７】
＜第５実施形態＞
図９は、第５実施形態に係る微弱電流具５を示す図である。微弱電流具５は、第１電極部１０と第２電極部１１が別体で形成されている点が他の実施形態と異なる。
【００７８】
第１電極部１０と第２電極部１１は、リング状である。第１電極部１０と第２電極部１１は、指に嵌めて取り付けられる大きさを有している。第１電極部１０と第２電極部１１の直径Ｄは、例えば、１０ｍｍ〜２８ｍｍである。なお、第１電極部１０と第２電極部１１は、指以外のどの部分で使用してもよく、使用する部位に合わせた大きさを有していればよい。
【００７９】
導電部１２は、線状で可撓性を有しており、第１電極部１０と第２電極部１１を電気的に繋いで接続している。第１電極部１０と第２電極部１１が導電部１２と電気的に繋がれていれば、リングの一部のみに電極部が設けられた形でもよい。本実施形態では、第１電極部１０と第２電極部１１が使用者の身体の異なる部分に嵌められて取り付けられる嵌め部の役割をする。
【００８０】
微弱電流具５は、第１電極部１０と第２電極部１１を例えば、使用者の小指と中指または人差し指のように異なる指に嵌めれば、生体内に微弱電流が発生し生体活動を活性化させると考えられる。
【００８１】
第１電極部１０と第２電極部１１は、リング状でなくてもよく、身体に取り付けることができれば、どのような形状をしていてもよい。また、導電部１２は、絶縁材１４で周囲が被覆された、絶縁電線であってもよい。
【００８２】
＜第５実施形態の変形例１＞
図１０は、第５実施形態の変形例１に係る微弱電流具５ａを示す図である。電極部の大きさが第５実施形態と異なる。
【００８３】
第１電極部１０と第２電極部１１は、別体のリング状であり、腕に嵌めて取り付けられる大きさを有している。第１電極部１０と第２電極部１１の直径Ｄは、例えば、３５ｍｍ〜８０ｍｍである。導電部１２は、表面が絶縁材１４で被覆されており、ジグザグ状または螺旋状で伸縮可能な弾性を有している。
【００８４】
第１電極部１０と第２電極部１１の間の距離を長くすることにより、抵抗の大きい皮膚細胞より抵抗値の少ない皮下組織や筋肉に電流が流れやすくなり、生体内に微弱電流を発生させることができる。
【００８５】
例えば、第１電極部１０を手首に嵌め、第２電極部１１を腕に嵌めることで、手首と腕の間の広い範囲で生体内に微弱電流を発生させることができる。あるいは、両腕間、両足間、腹部などで簡易に使用できる。導電部１２が可撓性を備えているため、第１電極部１０と第２電極部１１の距離を自在に変えることができる。
【００８６】
＜第５実施形態の変形例２＞
図１１は、第５実施形態の変形例２に係る微弱電流具５ｂを示す図である。第１電極部１０と第２電極部１１の大きさを変えた点が第５実施形態と異なる。
【００８７】
第１電極部１０は、指に嵌る大きさ、第２電極部１１は、腕に嵌る大きさを有している。第１電極部１０の直径Ｄは、例えば１０ｍｍ〜２８ｍｍである。第２電極部１１の直径Ｄは、例えば３５ｍｍ〜８０ｍｍである。導電部１２は、表面が絶縁材１４で被覆されており、ジグザグ状または螺旋状で伸縮可能な弾性を有している。
【００８８】
例えば、第１電極部１０を指に嵌め、第２電極部１１を手首に嵌めることで、指と手首の間の広い範囲で生体内に微弱電流を発生させることができる。そのため、豆状骨、三角骨付近の痛みや、各指に至る神経の痛みに治癒効果などを発揮すると考えられる。腹部と脚の付け根に使用すると鼠径リンパ節を、肩と腕に使用すると腋窩リンパ節を活性化すると考えられる。微弱電流具５ｂは、導電部１２が可撓性を備えているため、第１電極部１０と第２電極部１１の距離を自在に変えることができる。
【００８９】
＜第５実施形態の変形例３＞
図１２は、第５実施形態の変形例３に係る微弱電流具５ｃを示す図である。
【００９０】
第１電極部１０は、手の甲に嵌る大きさ、第２電極部は、腕に嵌る大きさを有している。第１電極部１０は、楕円でも良く、直径Ｄは、例えば３０ｍｍ〜７０ｍｍである。第２電極部１１の直径Ｄは、例えば３５ｍｍ〜８０ｍｍである。導電部１２は、表面が絶縁材１４で被覆された面状であり、弾性を有するものであってもよい。
【００９１】
例えば、第１電極部１０を手の甲に嵌め、第２電極部１１を腕に嵌めることで、手の甲と腕の間の広い範囲に微弱電流を発生させることができる。甲部分は各指の血管や神経が多く、微弱電流を発生させることで活性化すると考えられる。導電部１２は、弾性を備えていてもよい。微弱電流具５ｃは、足の甲と足首などでも簡易に使用できる。
【００９２】
＜第５実施形態の変形例４＞
図１３は、第５実施形態の変形例４に係る微弱電流具５ｄを示す図である。
【００９３】
第１電極部１０は、頭部に嵌る大きさ、第２電極部１１は、腹部に嵌る大きさを有している。導電部１２は、表面が絶縁材１４で被覆されており、線状で可撓性を有している。例えば、痛みのある腰部と、頭蓋骨縫合（例えば、筋膜経線、神経反射部位、経絡ラインなど）を電極部で繋ぐと頭部から腰部まで微弱電流が発生し、痛み部分の緩和に効果が期待される。
【００９４】
近年、スイス・チューリッヒ大学が椎間板ヘルニアの患者を調査したところ、神経への圧迫が強いため痛みを感じているのは全体の約１／３であり、約２／３は、心の問題により痛みが引き起こされていることが分かっている。また、Ｔｉｍｅ  Ｒｅｓｅｔ療法という臨床試験で効果が示された治療法が発表されている。Ｔｉｍｅ  Ｒｅｓｅｔ療法は、頭部縫合（例えば、冠状縫合、矢状縫合、ラムダ縫合など）にある筋膜経線（アナトミー・トレイン）、神経反射部位（例えば、ブラグマ、ラムダ、アステリオンなどに関わる部位）、経絡ラインにアプローチして刺激を与えることにより、痛み、違和感、身体のだるさ、姿勢の違和感、頭のもやもや、ストレスなどの除去に効果があると言われている。
【００９５】
微弱電流具５ｄから流れる微弱電流が、筋膜経線、神経反射部位、または経絡ラインに刺激を与えることで、上記の効果を期待することができる。
【００９６】
＜第５実施形態の変形例５＞
図１４は、第５実施形態の変形例５に係る微弱電流具５ｅを示す図である。
【００９７】
微弱電流具５ｅは、微弱電流具５ｃの周囲を布などで覆い、手袋状の微弱電流サポーターとして形成したものである。第１電極部１０と第２電極部１１は、手袋状の全周囲に設けられていなくてもよく、少なくとも一部に各電極部が設けられていればよい。また、第１電極部１０と第２電極部１１は、リング状で２つ設けられているが、２つ以上設けられていてもよい。肌に接する部分の第１電極部１０と第２電極部１１には、突起状部などを設けて刺激部を形成してもよい。刺激部は、少なくとも一つ設けられ、複数設けられてもよい。また、該刺激部は、球状体などで形成され回転するものであってもよい。
【００９８】
＜第５実施形態の変形例６＞
図１５は、第５実施形態の変形例６に係る微弱電流具５ｆを示す図である。
【００９９】
第１電極部１０を腹部に、第２電極部１１を脚部に位置するように設け、第１電極部１０と第２電極部１１を繋ぐ表面を絶縁材１４で被覆した導電部１２を設けて、これらを布で覆ったタイツ状の微弱電流サポーターとして形成する。図に示すように、使用者が履くと、腹部と脚部の間に微弱電流が発生し、鼠径リンパ節を活性化すると考えられる。
【０１００】
第１電極部１０と第２電極部１１は、タイツ状の全周囲に設けられていなくてもよく、少なくとも一部に各電極部が設けられていればよい。また、第１電極部１０と第２電極部１１は、リング状で３つ設けられているが、３つ以上設けられていてもよい。肌に接する部分の第１電極部１０と第２電極部１１には、突起状部などを設けて刺激部を形成してもよい。刺激部は少なくとも一つ設けられ、複数設けられてもよい。また、該刺激部は、球状体などで形成され回転するものであってもよい。
【０１０１】
＜第５実施形態の変形例７＞
図１６は、第５実施形態の変形例７に係る微弱電流具５ｇを示す図である。
【０１０２】
第１電極部１０と第２電極部１１とこれらを繋ぐ表面を絶縁材１４で被覆した導電部１２とを備え、周囲を布などで覆った帽子状の微弱電流サポーターとして形成する。第１電極部１０と第２電極部１１は、帽子状の全周囲に設けられていなくてもよく、少なくとも一部に設けられていればよい。また、第１電極部１０と第２電極部１１は、帽子状の異なる２箇所にリング状に設けられているが、２箇所以上に複数のリング状に設けてもよく、単一リングに第１電極部１０と第２電極部１１を複数設けてもよい。肌に接する部分の第１電極部１０と第２電極部１１には、突起状部などを設けて、刺激部を形成してもよい。刺激部は、少なくとも一つ設けられ、複数も受けられてもよい。また、該刺激部は、球状体などで形成され回転するものであってもよい。
【０１０３】
本実施形態および変形例によれば、簡単に使用することができる微弱電流具を提供することができる。また、微弱電流サポーターとして形成すれば、電極部が外部に露出することなく、持ち運びが便利で、目立たず扱いやすい微弱電流具が提供される。
【０１０４】
以上、本発明に係る微弱電流具の実施形態について説明したが、これらは本発明の一例に過ぎず、本発明はこれらに限定されるものではない。本発明には、上記の各実施形態や変形例を組み合わせた形態や、さらに様々な変形例が含まれる。特許請求の範囲に規定された内容およびその均等物から導き出される本発明の概念的な思想と趣旨を逸脱しない範囲で種々の追加、変更および部分的削除が可能である。例えば、第１電極と第２電極の間に電源を設けて、電源から生体に電流を流すようにしてもよい。電源としては、充電不可の一次電池、充電可能な二次電池、受光して発電する太陽電池などを用いることができる。
【符号の説明】
【０１０５】
１，１ａ，１ｂ，２，２ａ，３，４，５，５ａ，５ｂ，５ｃ：微弱電流具
１０：第１電極部
１１：第２電極部
１２：導電部
１３：溝
１４：絶縁材
１５：ヒンジ
１２１：開口端
【図１】
2020199213.tif 000003
【図２】
2020199213.tif 000004
【図３】
2020199213.tif 000005
【図４】
2020199213.tif 000006
【図５】
2020199213.tif 000007
【図６】
2020199213.tif 000008
【図７】
2020199213.tif 000009
【図８】
2020199213.tif 000010
【図９】
2020199213.tif 000011
【図１０】
2020199213.tif 000012
【図１１】
2020199213.tif 000013
【図１２】
2020199213.tif 000014
【図１３】
2020199213.tif 000015
【図１４】
2020199213.tif 000016
【図１５】
2020199213.tif 000017
【図１６】
2020199213.tif 000018
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
第１電極部と、
前記第１電極部と異なる電位を有し、前記第１電極部と電気的に接続された第２電極部と、
身体に嵌めて取り付けるための嵌め部と、を有し、
前記第１電極部と前記第２電極部を電気的に接続する導電部と、
前記第１電極部と前記第２電極部の間に配置され前記導電部を身体側に対して絶縁する絶縁部と、を備え、
前記導電部は、湾曲形状または環形状をしており、
前記第１電極部と前記第２電極部は、前記導電部の内周に沿って配置され、
前記絶縁部は、溝、切欠き、または絶縁材である
ことを特徴とする微弱電流具。
【請求項２】
第１電極部と、
前記第１電極部と異なる電位を有し、前記第１電極部と電気的に接続された第２電極部と、
身体に嵌めて取り付けるためのリング状の嵌め部と、を有し、
前記第１電極部と前記第２電極部を電気的に接続する導電部と、
前記第１電極部と前記第２電極部の間に配置される絶縁部と、を備え、
前記第１電極部と前記第２電極部は、それぞれ身体の異なる部分に嵌めて取り付ける
ことを特徴とする微弱電流具。
【請求項３】
請求項１に記載の微弱電流具であって、
前記導電部は、内側に付勢されたヒンジを備えている
ことを特徴とする微弱電流具。
【請求項４】
請求項１または３に記載の微弱電流具であって、
前記第１電極部及び／又は前記第２電極部に複数の溝を備えている
ことを特徴とする微弱電流具。
【請求項５】
請求項１〜４のいずれか一項に記載の微弱電流具であって、
前記第１電極部と前記第２電極部は、互いに異なる金属である
ことを特徴とする微弱電流具。
【請求項６】
請求項１〜４のいずれか一項に記載の微弱電流具であって、
前記第１電極部と前記第２電極部は、繊維に金属が組み込まれ形成されている
ことを特徴とする微弱電流具。
【請求項７】
請求項１に記載の微弱電流具であって、
前記微弱電流具は、棒状であって、身体に巻きつけて使用される
ことを特徴とする微弱電流具。
【請求項８】
請求項７に記載の微弱電流具であって、
前記棒状の微弱電流具は、捻ってから身体に巻きつけて使用される
ことを特徴とする微弱電流具。
【請求項９】
請求項１〜８のいずれか一項に記載の微弱電流具であって、
前記第１電極部及び／又は前記第２電極部は、複数設けられている
ことを特徴とする微弱電流具。
【請求項１０】
請求項１〜９のいずれか一項に記載の微弱電流具であって、
前記微弱電流具は、指、腕、または脚に取り付ける
ことを特徴とする微弱電流具。
【請求項１１】
請求項１０に記載の微弱電流具であって、
前記微弱電流具は、異なる指の付け根同士に嵌めて使用する、手首と指の付け根に嵌めて使用する、又は腕と手の甲に嵌めて使用する
ことを特徴とする微弱電流具。
【請求項１２】
請求項１０に記載の微弱電流具であって、
前記微弱電流具は、腹部と頭部に嵌めて使用する、腹部と脚部に嵌めて使用する、又は頭部の異なる位置に嵌めて使用する
ことを特徴とする微弱電流具。
【請求項１３】
請求項１〜１２のいずれか一項に記載の微弱電流具であって、
電源を備える
ことを特徴とする微弱電流具。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
第１電極部と、
前記第１電極部と異なる電位を有し、前記第１電極部と電気的に接続された第２電極部と、
身体に嵌めて取り付けるための嵌め部と、を有し、
前記第１電極部と前記第２電極部を電気的に接続する導電部と、
前記第１電極部と前記第２電極部の間に配置され前記導電部を身体側に対して絶縁する絶縁部と、を備え、
前記導電部は、湾曲形状または環形状をしており、
前記第１電極部と前記第２電極部は、前記導電部の内周に沿って配置され、
前記絶縁部は、溝、または切欠きである
ことを特徴とする微弱電流具。
【請求項２】
第１電極部と、
前記第１電極部と異なる電位を有し、前記第１電極部と電気的に接続された第２電極部と、
身体に嵌めて取り付けるためのリング状の嵌め部と、を有し、
前記第１電極部と前記第２電極部を電気的に接続する導電部と、
前記第１電極部と前記第２電極部の間に配置される絶縁部と、を備え、
前記導電部は、露出した金属であり、
前記絶縁部は、絶縁材である
ことを特徴とする微弱電流具。
【請求項３】
請求項１に記載の微弱電流具であって、
前記導電部は、内側に付勢されたヒンジを備えている
ことを特徴とする微弱電流具。
【請求項４】
請求項１または３に記載の微弱電流具であって、
前記第１電極部及び／又は前記第２電極部に複数の溝を備えている
ことを特徴とする微弱電流具。
【請求項５】
請求項１〜４のいずれか一項に記載の微弱電流具であって、
前記第１電極部と前記第２電極部は、互いに異なる金属である
ことを特徴とする微弱電流具。
【請求項６】
第１電極部と、
前記第１電極部と異なる電位を有し、前記第１電極部と電気的に接続された第２電極部と、
身体に嵌めて取り付けるための嵌め部と、を有し、
前記第１電極部と前記第２電極部を電気的に接続し、前記第１電極部と前記第２電極部の間に配置される導電部と、
前記第１電極部と前記第２電極部の間に配置され前記導電部を覆っている絶縁部と、を備える微弱電流具であって、
前記微弱電流具は、螺旋状であって、身体に巻きつけて使用される
ことを特徴とする微弱電流具。
【請求項７】
第１電極部と、
前記第１電極部と異なる電気を有し、前記第１電極部と電気的に接続された第２電極部と、
身体に嵌めて取り付けるための嵌め部と、を有し、
前記第１電極部と前記第２電極部は棒状であり、
前記第１電極部と前記第２電極部を電気的に接続し、前記第１電極部と前記第２電極部の長辺に沿って前記第１電極部と前記第２電極部の間に配置される導電部と、
前記第１電極部と前記第２電極部の間に配置され前記導電部を覆っている絶縁部と、を備える微弱電流具であって、
前記棒状の微弱電流具は、捻ってから身体に巻きつけて使用される
ことを特徴とする微弱電流具。
【請求項８】
請求項１〜５のいずれか一項に記載の微弱電流具であって、
前記第１電極部及び／又は前記第２電極部は、同一円周上に前記第１電極部および前記第２電極部が前記絶縁部を挟んで交互に２対以上設けられている
ことを特徴とする微弱電流具。